(57)【要約】      （修正有）【課題】熱の条件に基づくワイヤレスアクセスポイントのネットワークトラフィック制御システムを提供する。【解決手段】ワイヤレスアクセスポイントの温度データに基づいて第一ネットワークトラフィック許容値を算出する温度監視モジュール１０と、第一ネットワークトフィック許容値を受信するトラフィック制御モジュール１２とを備える。ワイヤレスアクセスポイント２には温度センサー１２０が内設される。温度監視モジュールは、所定期間ごとに、ワイヤレスアクセスポイントの温度データを読み取り、且つ、第一ネットワークトラフィック許容値を算出する。トラフィック制御モジュールは、第一ネットワークトフィック許容値に基づいてワイヤレスアクセスポイントの第一最大ネットワークトラフィックを算出すると共に第一最大ネットワークトラフィック許容値を設定することを特徴とする熱の条件に基づく。【選択図】図１
2019146140.tif 000002
【特許請求の範囲】
【請求項１】
ワイヤレスアクセスポイントの温度データの受信及び監視を行い、且つ前記温度データに基づいて第一ネットワークトラフィック許容値を算出する温度監視モジュールと、
前記第一ネットワークトラフィック許容値を受信するトラフィック制御モジュールと、
前記温度監視モジュール及び前記トラフィック制御モジュールの計算に必要なパラメータが保存されるパラメータモジュールとを備え、
前記ワイヤレスアクセスポイントには少なくとも１つの温度センサーが内設され、前記温度監視モジュールは、所定期間ごとに、前記温度センサーにより測定された前記ワイヤレスアクセスポイントの前記温度データを読み取り、且つ前記第一ネットワークトラフィック許容値を算出すると共に前記トラフィック制御モジュールに通知し、
前記トラフィック制御モジュールにより前記第一ネットワークトラフィック許容値が受信された後、前記第一ネットワークトラフィック許容値に基づいて前記ワイヤレスアクセスポイントの第一最大ネットワークトラフィックが算出されると共に第一最大ネットワークトラフィック許容値が設定されることを特徴とする熱の条件に基づくワイヤレスアクセスポイントのネットワークトラフィック制御システム。
【請求項２】
前記ワイヤレスアクセスポイントの電圧データの受信及び監視を行い、且つ前記電圧データに基づいて第二ネットワークトラフィック許容値を算出する電圧監視モジュールを更に備え、前記ワイヤレスアクセスポイントには少なくとも１つの電圧センサーが内設され、前記電圧監視モジュールは、前記電圧センサーにより前記ワイヤレスアクセスポイントの前記電圧データの変化が検知された場合、前記第二ネットワークトラフィック許容値を算出すると共に前記トラフィック制御モジュールに通知し、前記パラメータモジュールには前記電圧監視モジュールの計算に必要なパラメータが保存され、前記トラフィック制御モジュールにより前記第二ネットワークトラフィック許容値が受信された後、前記第二ネットワークトラフィック許容値に基づいて前記ワイヤレスアクセスポイントの第二最大ネットワークトラフィックが算出されると共に第二最大ネットワークトラフィック許容値が設定されることを特徴とする請求項１に記載の熱の条件に基づくワイヤレスアクセスポイントのネットワークトラフィック制御システム。
【請求項３】
前記温度監視モジュールは少なくとも１つの仮想温度センサーを更に備え、前記仮想温度センサーは前記少なくとも１つの温度センサーに基づくものであり、前記温度監視モジュールは、所定期間ごとに、前記仮想温度センサーにより測定された前記ワイヤレスアクセスポイントの温度データを読み取り、且つ前記第一ネットワークトラフィック許容値を算出すると共に前記トラフィック制御モジュールに通知することを特徴とする請求項１に記載の熱の条件に基づくワイヤレスアクセスポイントのネットワークトラフィック制御システム。
【請求項４】
温度監視モジュールがパラメータモジュールからワイヤレスアクセスポイントのステータスパラメータを取得するステップと、
前記温度監視モジュールが所定期間ごとに前記ワイヤレスアクセスポイント内部の少なくとも１つの温度センサーにより測定された前記ワイヤレスアクセスポイントの少なくとも１つの温度データを読み取り、且つ前記温度データに基づいて第一ネットワークトラフィック許容値が算出されるステップと、
トラフィック制御モジュールが前記第一ネットワークトラフィック許容値を受信した後、前記ワイヤレスアクセスポイントの第一最大ネットワークトラフィックが算出されると共に第一最大ネットワークトラフィック許容値が設定されるステップとを含み、
前記パラメータモジュールには前記温度監視モジュール及び前記トラフィック制御モジュールの計算に必要なパラメータが保存されることを特徴とする熱の条件に基づくワイヤレスアクセスポイントのネットワークトラフィック制御方法。
【請求項５】
前記温度センサーは少なくとも１つの仮想温度センサーを更に備え、前記仮想温度センサーは前記少なくとも１つの温度センサーに基づくものであり、前記温度監視モジュールは、所定期間ごとに、前記仮想温度センサーにより測定された前記ワイヤレスアクセスポイントの温度データを更に読み取り、且つ前記第一ネットワークトラフィック許容値が算出されると共に前記トラフィック制御モジュールに通知されることを特徴とする請求項４に記載の熱の条件に基づくワイヤレスアクセスポイントのネットワークトラフィック制御方法。
【請求項６】
前記温度監視モジュールにより前記温度データが受信された後、前記温度監視モジュールにより前記温度データ及び前記ワイヤレスアクセスポイントの前記ステータスパラメータの比較が行われ、且つ前記第一ネットワークトラフィック許容値が算出されることを特徴とする請求項４に記載の熱の条件に基づくワイヤレスアクセスポイントのネットワークトラフィック制御方法。
【請求項７】
前記温度データが前記ステータスパラメータより小さい場合、前記温度監視モジュールが前記ワイヤレスアクセスポイントを１つ前の状態に移行させるための前記第一ネットワークトラフィック許容値を算出し、前記温度データが前記ステータスパラメータより大きい場合、前記温度監視モジュールが前記ワイヤレスアクセスポイントを１つ後ろの状態に移行させるための前記第一ネットワークトラフィック許容値を算出することを特徴とする請求項６に記載の熱の条件に基づくワイヤレスアクセスポイントのネットワークトラフィック制御方法。
【請求項８】
前記トラフィック制御モジュールにより前記ワイヤレスアクセスポイントの前記第一最大ネットワークトラフィックが算出されると共に前記第一最大ネットワークトラフィック許容値が設定された後、前記トラフィック制御モジュールが前記ワイヤレスアクセスポイントにおける全ての入る及び出るパケットを仮想ネットワークインターフェースに導入することにより、双方向の総トラフィックの制限が行われることを特徴とする請求項４に記載の熱の条件に基づくワイヤレスアクセスポイントのネットワークトラフィック制御方法。
【請求項９】
電圧監視モジュールが前記パラメータモジュールから前記ワイヤレスアクセスポイントの前記ステータスパラメータを取得するステップと、
前記電圧監視モジュールが前記ワイヤレスアクセスポイント内部の少なくとも１つの電圧センサーにより測定された前記ワイヤレスアクセスポイントの電圧データを読み取り、且つ前記電圧データにより第二ネットワークトラフィック許容値が算出されるステップと、
前記トラフィック制御モジュールが前記第二ネットワークトラフィック許容値を受信した後、前記ワイヤレスアクセスポイントの第二最大ネットワークトラフィックが算出されると共に第二最大ネットワークトラフィック許容値が設定されるステップとを更に含み、
前記パラメータモジュールには前記電圧監視モジュール及び前記トラフィック制御モジュールの計算に必要なパラメータが保存されることを特徴とする請求項４に記載の熱の条件に基づくワイヤレスアクセスポイントのネットワークトラフィック制御方法。
【請求項１０】
前記電圧データが設定される電圧条件より高い又は低い場合、前記電圧センサーは割り込み要求方式により前記電圧監視モジュールに通知することを特徴とする請求項９に記載の熱の条件に基づくワイヤレスアクセスポイントのネットワークトラフィック制御方法。
【発明の詳細な説明】
【技術分野】
【０００１】
本発明は、ネットワーク処理システム及び処理方法に関し、特に、温度及び電圧などの熱の条件に基づいてワイヤレスアクセスポイントのネットワークトラフィックを監視し制御する制御システム及びその処理方法に関する。
【背景技術】
【０００２】
従来の技術では、数多くのワイヤレスアクセスポイントの運用モードはブリッジモード（Bridge Mode）及びルーターモード（Router Mode）に大別されることができる。ブリッジモードの運用方式は、主に全ての有線ネットワークインターフェース（Wired Interfaces）及びワイヤレスネットワークインターフェース（Wireless Interfaces）がブリッジ接続されることにより１つまたは複数のブリッジ（Bridge）が形成され、ブリッジにブリッジ接続されるインターフェースはブリッジポート（Bridge Port）と呼ばれる。１つのブリッジポートがパケットを受信すると、このパケットは該ブリッジポートが属するブリッジに入る。ブリッジ接続メカニズムはＭＡＣアドレス学習機能（Mac Learning）によりこのパケットが１つまたは複数のブリッジポートのいずれかに転送されるかが決定される。
【発明の概要】
【発明が解決しようとする課題】
【０００３】
ルーターモードは基本的にブリッジ接続メカニズムのほか、１つまたは複数の広域ネットワークインターフェース（WAN Interfaces）も有する。ルーティングメカニズムによりブリッジから入ったパケットの宛先アドレスはブリッジに含まれるブリッジポートにはなく、広域ネットワークにある場合、このパケットはネットワークアドレス変換（Network Address Translation：NAT）が行われた後で広域ネットワークインターフェースの内の１つに転送される。広域ネットワークインターフェースから入ったパケットはネットワークアドレス変換（NAT）が行われた後でブリッジに転送されて処理され、且つ最後にあるブリッジポートに到達する。しかしながら、ブリッジモード及びルーターモードのいずれであっても、基本的にはワイヤレスアクセスポイントが各種のデータパケット及びネットワークプロトコルの処理を行うため、処理されるネットワークトラフィックが多くなるほどシステム全体の負荷が増し、負荷が増すほどワイヤレスアクセスポイントの温度上昇を招く事態となった。
【０００４】
詳しく説明すると、パソコン、ノートパソコン、携帯電話、有線ルーター、及びワイヤレスアクセスポイント等の数多くの電子製品は、各種のデータ処理、データ変換、画像と音声のデータ処理等の計算を行う場合、基本的にはいずれも一定の熱エネルギーが発生する。パソコンシステムが過熱し、速やかに放熱できない場合、パソコン内部の温度が持続的に上昇し、ひいては、個別の部材またはシステムが許容可能な温度を超えてしまい、システムが不安定になり、ダウンしたり、部材が焼損したりする等の厳重な結果を引き起こすことが可能となった。
上記の問題に対して従来の放熱メカニズムでは大面積の放熱シート及び大型ファンの使用により放熱を行う。ワイヤレスアクセスポイント、ルーター等の嵌め込み型ネットワーク製品については、製品自体が小型であり、かつ現在ファンレス（Fan-less）方式が採用される傾向があるため、放熱は放熱シートのみに依存している。しかしながら、小型であるため、採用される放熱シートの面積も制限を受ける。特に壁に嵌め込まれたワイヤレスアクセスポイント（In-Wall AP）では、ユーザーの安全のため、パネルとしてプラスチック類の材質を使用するのが一般的である。使用可能な放熱シートの面積が小さく、且つ表面がプラスチック材質であるため放熱能力が低いので、大量のデータパケットを持続的に処理する場合、又はネットワークプロトコルに従ってブリッジ接続及びルーティングメカニズムを実行する場合、より多くの熱が発生してシステムが過熱してしまい、不安定になったり、ダウンしたりすることもある。また、従来のワイヤレスネットワーク製品では８０２．１１ａｃ等の５ＧＨｚの高周波技術の汎用化につれ、ワイヤレスアクセスポイントはデュアルバンド／デュアルコンカレント（Dual Band and Dual concurrent）の高周波の需要に応じてより厳しい局面を迎えている。
【０００５】
現在、市場でよくあるワイヤレスアクセスポイントには普遍的にＡＣ電源またはイーサネット電源（Power over Ethernet：PoE）が採用されている。ＡＣ電源とＰｏＥ電源のいずれであっても、ワイヤレスアクセスポイントの中には対応する給電モジュールが存在する。各給電モジュールは、安定的に給電可能な動作温度及び最大出力ワット数の能力に制限があり、システムの温度が持続的に上昇すると電力変換効率が低下し、出力電圧が不足したり、不安定化したりする可能性がある。一方、最大出力ワット数に制限があるため、ワイヤレスアクセスポイントが大量のトラフィックのデータパケットを持続的に処理する場合、又は複雑なネットワークプロトコルを運用する場合、常に安定的に電圧を出力することができない問題を直面し、このことについても、システムが不安定化したり、ダウンしたりすることがあった。
【０００６】
前記の放熱及び電力消費の問題について、従来の技術においてはハードウェア、機構及び放熱等が強化される設計により対応しているが、制限があるため、一般的にはソフトウェア機能により補助的に支援する。よくあるソフトウェア機能として、デバイスの省電力モード（Power Save Mode）により電力消費及び熱エネルギーの発生を抑えるものがあるが、ワイヤレスアクセスポイントは高いネットワークトラフィック状態が続くと省電力機能でも大きな効果を得られなかった。
【０００７】
上述の原因に基づき、新しいタイプの温度及び電圧監視によるネットワークトラフィック制御システム及び処理方法を提供できれば、システムの温度が持続的に上昇して特定の温度に達した場合、或いはシステムの電圧不足や不安定を検知した場合、動的に速やかに最大ネットワークトラフィック許容値の調整を行い、システムの負荷を低減し、システムの過熱や電圧の不安定化を回避し、ワイヤレスアクセスポイントが持続的に安定してサービスを提供することが可能となる。
【課題を解決するための手段】
【０００８】
上述した課題を解決し、目的を達成するために、本発明において、ワイヤレスアクセスポイントの温度データの受信及び監視を行い、且つ前記温度データに基づいて第一ネットワークトラフィック許容値を算出する温度監視モジュールと、前記第一ネットワークトラフィック許容値を受信するトラフィック制御モジュールと、前記温度監視モジュール及び前記トラフィック制御モジュールの計算に必要なパラメータが保存されるパラメータモジュールとを備え、前記ワイヤレスアクセスポイントには少なくとも１つの温度センサーが内設され、前記温度監視モジュールは、所定期間ごとに、前記温度センサーにより測定された前記ワイヤレスアクセスポイントの前記温度データを読み取り、且つ前記第一ネットワークトラフィック許容値を算出すると共に前記トラフィック制御モジュールに通知し、前記トラフィック制御モジュールにより前記第一ネットワークトラフィック許容値が受信された後、前記第一ネットワークトラフィック許容値に基づいて前記ワイヤレスアクセスポイントの第一最大ネットワークトラフィックが算出されると共に第一最大ネットワークトラフィック許容値が設定されることを特徴とする熱の条件に基づくワイヤレスアクセスポイントのネットワークトラフィック制御システムが提供される。
【０００９】
好ましくは、本発明に係る熱の条件に基づくワイヤレスアクセスポイントのネットワークトラフィック制御システムにおいて、前記ワイヤレスアクセスポイントの電圧データの受信及び監視を行い、且つ前記電圧データに基づいて第二ネットワークトラフィック許容値を算出する電圧監視モジュールを更に備え、前記ワイヤレスアクセスポイントには少なくとも１つの電圧センサーが内設され、前記電圧監視モジュールは、前記電圧センサーにより前記ワイヤレスアクセスポイントの前記電圧データの変化改変が検知観測された場合、前記第二ネットワークトラフィック許容値を算出すされると共に前記トラフィック制御モジュールに通知しさせ、前記パラメータモジュールには前記電圧監視モジュールの計算に必要なパラメータが保存され、前記トラフィック制御モジュールにより前記第二ネットワークトラフィック許容値が受信された後、前記第二ネットワークトラフィック許容値に基づいて前記ワイヤレスアクセスポイントの第二最大ネットワークトラフィックが算出されると共に第二最大ネットワークトラフィック許容値が設定される。
【００１０】
好ましくは、本発明に係る熱の条件に基づくワイヤレスアクセスポイントのネットワークトラフィック制御システムにおいて、前記温度監視モジュールは少なくとも１つの仮想温度センサーを更に備え、前記仮想温度センサーは少なくとも１つの温度センサーに基づくものであり、前記温度監視モジュールは、所定期間ごとに、前記仮想温度センサーにより測定された前記ワイヤレスアクセスポイントの温度データを読み取り、且つ前記第一ネットワークトラフィック許容値を算出すると共に前記トラフィック制御モジュールに通知する。
【００１１】
一方、本発明において、温度監視モジュールがパラメータモジュールからワイヤレスアクセスポイントのステータスパラメータを取得するステップと、前記温度監視モジュールが所定期間ごとに前記ワイヤレスアクセスポイント内部の少なくとも１つの温度センサーにより測定された前記ワイヤレスアクセスポイントの少なくとも１つの温度データを読み取り、且つ前記温度データに基づいて第一ネットワークトラフィック許容値が算出されるステップと、トラフィック制御モジュールが前記第一ネットワークトラフィック許容値を受信した後、前記ワイヤレスアクセスポイントの第一最大ネットワークトラフィックが算出されると共に第一最大ネットワークトラフィック許容値が設定されるステップとを含み、前記パラメータモジュールには前記温度監視モジュール及び前記トラフィック制御モジュールの計算に必要なパラメータが保存されることを特徴とする熱の条件に基づくワイヤレスアクセスポイントのネットワークトラフィック制御方法が提供される。
【００１２】
好ましくは、本発明に係る熱の条件に基づくワイヤレスアクセスポイントのネットワークトラフィック制御方法において、前記温度センサーは少なくとも１つの仮想温度センサーを更に備え、前記仮想温度センサーは前記少なくとも１つの温度センサーに基づくものであり、前記温度監視モジュールは、所定期間ごとに、前記仮想温度センサーにより測定された前記ワイヤレスアクセスポイントの温度データの一定の時間間隔でのを更に読み取りを更に行い、且つ前記第一ネットワークトラフィック許容値が算出されると共に前記トラフィック制御モジュールに通知される。
【００１３】
好ましくは、本発明に係る熱の条件に基づくワイヤレスアクセスポイントのネットワークトラフィック制御方法において、前記温度監視モジュールにより前記温度データが受信された後、前記温度監視モジュールにより前記温度データ及び前記ワイヤレスアクセスポイントの前記ステータスパラメータの比較が行われ、且つ前記第一ネットワークトラフィック許容値が算出される。
【００１４】
好ましくは、本発明に係る熱の条件に基づくワイヤレスアクセスポイントのネットワークトラフィック制御方法において、前記温度データが前記ステータスパラメータより小さい場合、前記温度監視モジュールが前記ワイヤレスアクセスポイントを１つ前の状態に移行させるための前記第一ネットワークトラフィック許容値を算出し、前記温度データが前記ステータスパラメータより大きい場合、前記温度監視モジュールが前記ワイヤレスアクセスポイントを１つ後ろの状態に移行させるための前記第一ネットワークトラフィック許容値を算出する。前記１つ前の状態はネットワークトラフィック許容値を引き上げる動作状態である。前記１つ後ろの状態はネットワークトラフィック許容値を引き下げる動作状態である。
【００１５】
好ましくは、本発明に係る熱の条件に基づくワイヤレスアクセスポイントのネットワークトラフィック制御方法において、温度データが１つ後ろの状態のパラメータより大きい場合、温度監視モジュールがワイヤレスアクセスポイントを１つ後ろの状態に移行させるための第一ネットワークトラフィック許容値を更に算出する。重複して検査を行うことにより、ワイヤレスアクセスポイントの現在の温度データを新しい状態のパラメータより小さくなるようにする。これにより、温度の早い変化に速やかに対応し、第一ネットワークトラフィック許容値を安全な値まで引き下げる。また、システムの温度が急激に低下した場合でも（ネットワークトラフィックの低下に加えて室温も急激に低下する場合）、多くても１つ前の状態のみ移行するように維持され、ネットワークトラフィック許容値の短時間における急低下や急上昇、急上昇の後にネットワークトラフィックが上昇してシステムの温度が急上昇する事態を回避する。
【００１６】
好ましくは、本発明に係る熱の条件に基づくワイヤレスアクセスポイントのネットワークトラフィック制御方法において、前記トラフィック制御モジュールにより前記ワイヤレスアクセスポイントの前記第一最大ネットワークトラフィックが算出されると共に前記第一最大ネットワークトラフィック許容値が設定された後、前記トラフィック制御モジュールが前記ワイヤレスアクセスポイントにおける全ての入る及び出るパケットを仮想ネットワークインターフェースに導入することにより、双方向の総トラフィックの制限が行われる。
【００１７】
好ましくは、本発明に係る熱の条件に基づくワイヤレスアクセスポイントのネットワークトラフィック制御方法において、電圧監視モジュールが前記パラメータモジュールから前記ワイヤレスアクセスポイントの前記ステータスパラメータを取得するステップと、前記電圧監視モジュールが前記ワイヤレスアクセスポイント内部の少なくとも１つの電圧センサーにより測定された前記ワイヤレスアクセスポイントの電圧データを読み取り、且つ前記電圧データにより第二ネットワークトラフィック許容値が算出されるステップと、前記トラフィック制御モジュールが前記第二ネットワークトラフィック許容値を受信した後、前記ワイヤレスアクセスポイントの第二最大ネットワークトラフィックが算出されると共に第二最大ネットワークトラフィック許容値が設定されるステップとを更に含み、前記パラメータモジュールには前記電圧監視モジュール及び前記トラフィック制御モジュールの計算に必要なパラメータが保存される。
【００１８】
好ましくは、本発明に係る熱の条件に基づくワイヤレスアクセスポイントのネットワークトラフィック制御方法において、前記電圧データが設定される電圧条件より高い又は低い場合、前記電圧センサーは割り込み要求方式により前記電圧監視モジュールに通知する。
【図面の簡単な説明】
【００１９】
【図１】本発明の一実施形態に係る熱の条件に基づくワイヤレスアクセスポイントのネットワークトラフィック制御システムの構成を示す概略図である。
【図２】本発明の他の実施形態に係る熱の条件に基づくワイヤレスアクセスポイントのネットワークトラフィック制御システムの構成を示す概略図である。
【図３】本発明の一実施形態に係る熱の条件に基づくワイヤレスアクセスポイントのネットワークトラフィック制御方法を示すフローチャートである。
【図４】本発明の他の実施形態に係る熱の条件に基づくワイヤレスアクセスポイントのネットワークトラフィック制御方法を示すフローチャートである。
【発明を実施するための形態】
【００２０】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必要な要件であるとは限らない。
【００２１】
図１は本発明の一実施形態に係る熱の条件に基づくワイヤレスアクセスポイントのネットワークトラフィック制御システムの構成を説明する概略図である。本発明の好適な実施形態において、熱の条件に基づくワイヤレスアクセスポイントのネットワークトラフィック制御システム１は、温度監視モジュール１０と、トラフィック制御モジュール１２と、パラメータモジュール１４とを備える。熱の条件に基づくワイヤレスアクセスポイントのネットワークトラフィック制御システム１は、ワイヤレスアクセスポイント２の温度状態の監視を行い、且つワイヤレスアクセスポイント２の温度に基づいてワイヤレスアクセスポイント２の最大トラフィック許容値を制御する。また、ワイヤレスアクセスポイント２は広域ネットワークインターフェース２０（WAN Interface）と、ローカルエリアネットワークインターフェース２２（LAN Interface）と、２．４ＧＨｚＷＩＦＩモジュール２４と、５ＧＨｚＷＩＦＩモジュール２６とを含み、且つワイヤレスアクセスポイント２の動作モードにはブリッジモードまたはルーターモードがある。
【００２２】
詳しく説明すると、温度監視モジュール１０はワイヤレスアクセスポイント２の温度データの受信及び監視を行い、且つ前記温度データに基づいて第一ネットワークトラフィック許容値を算出する。トラフィック制御モジュール１２は前記第一ネットワークトラフィック許容値の受信に用いられる。パラメータモジュール１４は温度監視モジュール１０及びトラフィック制御モジュール１２の計算に必要なパラメータの保存に用いられ、例えば、計算に必要なパラメータの例としてワイヤレスアクセスポイント２のステータス名称、温度閾値、現在の最大トラフィック等の数値情報が挙げられる。ワイヤレスアクセスポイント２には少なくとも１つの温度センサー１２０が内設され、少なくとも１つの温度センサー１２０はワイヤレスアクセスポイント２内部の重要部材と近接設置され、ワイヤレスアクセスポイント２内部の重要部材の温度の監視を行う。温度監視モジュール１０は、所定期間ごとに、温度センサー１２０により測定されたワイヤレスアクセスポイント２内部の温度データを読み取り、且つ前記温度データに基づいて前記第一ネットワークトラフィック許容値を算出し、トラフィック制御モジュール１２に更に通知する。トラフィック制御モジュール１２により前記第一ネットワークトラフィック許容値が受信された後、前記第一ネットワークトラフィック許容値に基づいてワイヤレスアクセスポイント２の第一最大ネットワークトラフィックが算出されると共に第一最大ネットワークトラフィック許容値が設定され、ワイヤレスアクセスポイント２が前記第一最大ネットワークトラフィック許容値に基づいて動作を行い、過度の負荷が生じて熱によるダウンや動作の不安定化が発生することを回避させる。
【００２３】
一方、ワイヤレスアクセスポイント２には複数の温度センサー１２０が内設され、温度監視がより徹底的に行われるが、この方法ではコストが高騰し、且つ前記ワイヤレスアクセスポイントの回路基板のレイアウト（PCB Layout）の難度が増すこととなった。この状況に対し、本発明に係る他の実施形態において温度監視モジュール１０が少なくとも１つの温度センサー１２０に基づく少なくとも１つの仮想温度センサー（図示せず）を更に備える。すなわち、温度監視モジュール１０は少なくとも１つの温度センサー１２０により検知された温度データを取得した後、少なくとも１つの温度センサー１２０の前記温度データに基づいてテーブル法及び補間法等の演算法により少なくとも１つの仮想温度センサーをシミュレートし、且つ前記少なくとも１つの仮想温度センサーによりワイヤレスアクセスポイント２の内部の複数の主要部材の温度データが推定される。こうして、温度監視モジュール１０は更に所定の期間ごとに、仮想温度センサーにより測定されたワイヤレスアクセスポイント２の温度データに対して計算を行い、且つ前記第一ネットワークトラフィック許容値を算出すると共にトラフィック制御モジュール１２に通知する。
【００２４】
図２は本発明の他の実施形態に係る熱の条件に基づくワイヤレスアクセスポイントのネットワークトラフィック制御システムの構成を説明する概略図である。本発明の他の実施形態では、熱の条件に基づくワイヤレスアクセスポイントのネットワークトラフィック制御システム１は、ワイヤレスアクセスポイント２の電圧データの受信及び監視を行うと共に前記電圧データに基づいて第二ネットワークトラフィック許容値を算出する電圧監視モジュール１６を更に備える。
【００２５】
詳しく説明すると、ワイヤレスアクセスポイント２には少なくとも１つの電圧センサー１６０が内設される。電圧監視モジュール１６は電圧センサー１６０によりワイヤレスアクセスポイント２の前記電圧データの変化が検知された場合、前記第二ネットワークトラフィック許容値を算出すると共にトラフィック制御モジュール１２に通知する。パラメータモジュール１４には電圧監視モジュール１６の計算に必要なパラメータが保存され、例えば、計算に必要なパラメータの例として、ワイヤレスアクセスポイント２のステータス名称、事前に設定される電圧データ、現在の最大トラフィック等の数値情報が挙げられる。トラフィック制御モジュール１２により前記第二ネットワークトラフィック許容値が受信された後、前記第二ネットワークトラフィック許容値に基づいてワイヤレスアクセスポイント２の第二最大ネットワークトラフィックが算出されると共に第二最大ネットワークトラフィック許容値が設定される。ワイヤレスアクセスポイント２が前記第二最大ネットワークトラフィック許容値に基づいて動作を行い、不安定な電圧が発生して動作が不安定化したり、ダウンしたりするなどが発生しなくなる。
【００２６】
注意すべきことは、本発明の他の実施形態では、熱条件に基づくワイヤレスアクセスポイントのネットワークトラフィック制御システム１は、電圧監視モジュール１６のみを備え、且つ電圧監視モジュール１６単体でワイヤレスアクセスポイント２の電圧の安定度を監視することが可能であり、且つ電圧の安定度に基づいてワイヤレスアクセスポイント２のネットワークトラフィックを更に制御する。
【００２７】
また、本発明では、パラメータモジュール１４には異なる形式の様々なワイヤレスアクセスポイントのステータスパラメータが保存されることにより、温度監視モジュール、電圧監視モジュール、及びトラフィック許容値等のモジュールに対して計算を行わせる。従って、本発明の熱の条件に基づくワイヤレスアクセスポイントのネットワークトラフィック制御システム１は、同一系のワイヤレスアクセスポイント製品に適用され、ひいては、市場で販売される他のネットワーク通信製品にも適用可能である。つまり、本発明に係るトラフィック制御システムの汎用性は極めて高い。
【００２８】
さらに、熱の条件に基づくワイヤレスアクセスポイントのネットワークトラフィック制御システム１は、演算装置により実行されることが可能である。例えば、スマートデバイスにインストールされるアプリケーションプログラム（APP）とすることで、ユーザーが最も便利な方式でワイヤレスアクセスポイント２の動作状態を監視可能である。
【００２９】
図３は本発明の一実施形態に係る熱の条件に基づくワイヤレスアクセスポイントのネットワークトラフィック制御方法を説明するフローチャートである。図３に示すように、本発明の熱の条件に基づくワイヤレスアクセスポイントのネットワークトラフィック制御方法は、以下のステップＳ１００〜ステップＳ１２６を含む。
【００３０】
ステップＳ１００では、温度監視モジュールがパラメータモジュールからワイヤレスアクセスポイントのステータスパラメータを取得する。前記ステータスパラメータの例としては、前記ワイヤレスアクセスポイントのステータス名称、各ステータスの温度閾値、現在の最大トラフィック等の数値情報等が挙げられる。各ステータスの温度閾値は前記温度監視モジュールにより所定の期間ごとに読み取られた前記ワイヤレスアクセスポイントの各温度データとすることが可能である。
ステップＳ１０２では、前記温度監視モジュールが初期状態に移行すると共にトラフィック制御モジュールに初期の第一ネットワークトラフィック許容値を通知する。
ステップＳ１０４では、前記温度監視モジュールが所定の期間ごとに前記ワイヤレスアクセスポイント内部の少なくとも１つの温度センサーにより測定された前記ワイヤレスアクセスポイントの少なくとも１つの温度データを読み取る。
ステップＳ１０６では、前記温度監視モジュールがステップＳ１０４で読み取られた温度データに基づいてテーブル法及び補間法により仮想温度センサーの温度データを推定する。注意すべきことは、ステップＳ１０６は必要に応じて選択的に実施されることが可能である。
【００３１】
続いて、ステップＳ１０８において、前記温度監視モジュールは全ての読み取られた温度データ及び前記パラメータモジュールに保存される１つ前の状態の温度閾値の比較を行う。全ての温度データが１つ前の状態の温度閾値−１よりも小さい場合、ステップＳ１１０に進み、逆の場合はステップＳ１１６に進む。
【００３２】
続いて、ステップＳ１１０では、前記温度監視モジュールにより減速カウンターが０に設定されると共に加速カウンターに１が加えられる。ステップＳ１１２において、加速カウンターが加速閾値に達した場合はステップＳ１１４に進み、そうでない場合はステップＳ１１８に進む。
【００３３】
続いて、ステップＳ１１４では、前記温度監視モジュールが１つ前の状態に移行し、且つ第一ネットワークトラフィック許容値を算出すると共にトラフィック制御モジュールに通知して最大トラフィック許容値を引き上げる。トラフィック制御モジュールにより前記第一ネットワークトラフィック許容値が受信された後、前記第一ネットワークトラフィック許容値に基づいて前記ワイヤレスアクセスポイントの第一最大ネットワークトラフィックが算出されると共に第一最大ネットワークトラフィック許容値が設定される。前記パラメータモジュールには前記温度監視モジュール及び前記トラフィック制御モジュールの計算に必要なパラメータが保存される。前記１つ前の状態はネットワークトラフィック許容値を引き上げる動作状態である。
【００３４】
続いて、ステップＳ１１６において、前記温度監視モジュールにより減速カウンターが０に設定される。ステップＳ１１８では、前記温度監視モジュールにより読み取られた全ての温度データ及び前記パラメータモジュールに保存された１つ前の状態の温度閾値の比較が行われる。何れか１つの温度が１つ前の状態の温度閾値より大きい又は等しい場合、ステップＳ１２０に進み、そうでない場合、ステップＳ１２６に進む。
【００３５】
続いて、ステップＳ１２０では、前記温度監視モジュールにより加速カウンターが０に設定されると共に減速カウンターに１が加えられる。ステップＳ１２２において、減速カウンターが減速閾値に達した場合、ステップＳ１２４に進み、そうでない場合、ステップＳ１０４に進む。
【００３６】
続いて、ステップＳ１２４において、前記温度監視モジュールが１つ後ろの状態に移行すると共に第一ネットワークトラフィック許容値が算出され、トラフィック制御モジュールに通知されて最大トラフィック許容値が引き下げられる。前記トラフィック制御モジュールにより前記第一ネットワークトラフィック許容値が受信された後、第一最大ネットワークトラフィック許容値が設定される。前記パラメータモジュールには前記温度監視モジュール及び前記トラフィック制御モジュールの計算に必要なパラメータが保存される。前記１つ後ろの状態はネットワークトラフィック許容値を引き下げる動作状態である。
【００３７】
続いて、ステップＳ１２６において、前記温度監視モジュールにより加速カウンターが０に設定される。続いてステップＳ１０４に進む。
【００３８】
すなわち、本発明では、前記温度監視モジュールは前記ワイヤレスアクセスポイントの現在の動作温度及び事前に設定された動作温度の比較を行い、現在の動作温度が事前に設定された動作温度より低く、且つ一定時間持続した場合、前記温度監視モジュールは前記トラフィック制御モジュールにネットワークトラフィック許容値を引き上げるように通知する。反対に、現在の動作温度が事前に設定された動作温度より高く、且つ一定時間持続した場合、前記温度監視モジュールは前記トラフィック制御モジュールにネットワークトラフィック許容値を引き下げるように通知することにより、前記ワイヤレスアクセスポイントがネットワークトラフィックの過負荷により熱によるダウンの事態を回避する。また、上述のステップから分かるように、本発明に係るネットワークトラフィック制御方法は、重複して検査を行うことにより、ワイヤレスアクセスポイントの現在の温度データを新しい状態のパラメータより小さくなるようにする。これにより、温度の早い変化に速やかに対応し、第一ネットワークトラフィック許容値を安全な値まで引き下げる。また、システムの温度が急激に低下した場合でも（ネットワークトラフィックの低下に加えて室温も急激に低下する場合）、多くても１つ前の状態のみ移行するように維持され、ネットワークトラフィック許容値の短時間における急低下や急上昇、急上昇の後にネットワークトラフィックが上昇してシステムの温度が急上昇する事態を回避する。
【００３９】
一方、前記ワイヤレスアクセスポイントに複数の温度センサーが内設されることにより、温度の監視がより徹底的に行われるが、この方法ではコストが高騰することとなる。この状況に対応するため、本発明の他の実施形態においては、温度監視モジュールが前記ワイヤレスアクセスポイントに内設される少なくとも１つの温度センサーに基づく少なくとも１つの仮想温度センサーを更に備えることができる。即ち、少なくとも１つの温度センサーにより検知された温度データが取得された後、前記温度監視モジュールは少なくとも１つの温度センサーの温度データに基づいてテーブル法及び補間法等の演算法により少なくとも１つの仮想温度センサーをシミュレートし、且つ前記少なくとも１つの仮想温度センサーにより複数のワイヤレスアクセスポイントの内部の温度データを取得する。こうして、前記温度監視モジュールが所定の期間ごとに更に前記仮想温度センサーにより測定された前記ワイヤレスアクセスポイントの温度データを読み取り、且つ前記第一ネットワークトラフィック許容値を算出すると共に前記トラフィック制御モジュールに通知する。
【００４０】
なお、前記トラフィック制御モジュールにより前記ワイヤレスアクセスポイントの前記第一最大ネットワークトラフィックが算出されると共に前記第一最大ネットワークトラフィック許容値が設定された後、前記トラフィック制御モジュールは前記ワイヤレスアクセスポイントにおける全ての入る（Ingress）及び出る（Egress）パケットを仮想ネットワークインターフェースに導入することにより、双方向（Bi-Directional）の総トラフィックの制限を行う。
【００４１】
図４は本発明の他の実施形態に係る熱の条件に基づくワイヤレスアクセスポイントのネットワークトラフィック制御方法を説明するフローチャートである。図４に示すように、本発明の他の実施形態では、熱の条件に基づくワイヤレスアクセスポイントのネットワークトラフィック制御方法は、以下のステップＳ２０〜ステップＳ２４を更に含む。
【００４２】
ステップＳ２０では、電圧監視モジュールが前記パラメータモジュールから前記ワイヤレスアクセスポイントのステータスパラメータを取得する。前記ステータスパラメータは、例えば、前記ワイヤレスアクセスポイントのステータス名称、事前に設定された電圧データ、現在の最大トラフィック等の数値情報である。
ステップＳ２２では、前記電圧監視モジュールが前記ワイヤレスアクセスポイント内部の少なくとも１つの電圧センサーにより測定された前記ワイヤレスアクセスポイントの電圧データを読み取り、且つ前記電圧データに基づいて第二ネットワークトラフィック許容値が算出される。
ステップＳ２４において、前記トラフィック制御モジュールにより前記第二ネットワークトラフィック許容値が受信された後、前記ワイヤレスアクセスポイントの第二最大ネットワークトラフィックが算出されると共に第二最大ネットワークトラフィック許容値が設定される。前記パラメータモジュールには前記電圧監視モジュール及び前記トラフィック制御モジュールの計算に必要なパラメータが保存され、前記電圧監視モジュールは割り込みサービスルーチン（Interrupt Service Routine：ISR）により電圧の監視を行うことができる。
【００４３】
更に詳しく説明すると、前記電圧データが設定された電圧条件より高い又は低い場合、前記電圧センサーは割り込み要求（Interrupt Request：IRQ）方式により前記電圧監視モジュールに通知し、前記電圧監視モジュールに電圧の変化が生じたことを認知させる。その後、前記電圧監視モジュールはいままで累積した電圧データに基づいて前記ワイヤレスアクセスポイントのトラフィック許容値を変化するか否かの判断を下し、前記電圧監視モジュールにより変化が必要と判断されると、前記電圧データにより前記第二ネットワークトラフィック許容値が算出される。最後に、前記トラフィック制御モジュールにより前記第二ネットワークトラフィック許容値が受信された後、前記ワイヤレスアクセスポイントの第二最大ネットワークトラフィックが算出されると共に第二最大ネットワークトラフィック許容値が設定されることにより、前記ワイヤレスアクセスポイントが新しいネットワークトラフィック許容値に従って動作するようにさせ、電圧の不安定化により前記ワイヤレスアクセスポイントが故障することを防止する。
【００４４】
上記のように、本発明において、熱の条件に基づくワイヤレスアクセスポイントのネットワークトラフィック制御システム及びその方法が提供され、前記システム及び方法によりワイヤレスアクセスポイントの温度状態及び／又は電圧状態の監視を行うことができ、且つワイヤレスアクセスポイントの現在の動作温度及び電圧状態に基づいてワイヤレスアクセスポイントのネットワークトラフィックを動的に調整する。ワイヤレスアクセスポイントの動作温度が高すぎる場合、または電圧が変化した場合、ワイヤレスアクセスポイントの最大ネットワークトラフィックを引き下げる方式によりワイヤレスアクセスポイントの作業の負荷を減少して熱の発生を減らし、同時にワイヤレスアクセスポイントの電力消費（Power Consumption）を低減して電圧を安定することにより、ワイヤレスアクセスポイントの寿命を延ばさせ、且つ最も安定した動作状態に維持させる。
【００４５】
本明細書に開示された実施例は、説明するためのものであり、本発明を限定するものではない。このような実施例によって本発明の思想と範囲が限定されるものではない。本発明の範囲は特許請求の範囲により解釈すべきであり、それと同等の範囲内にある全ての技術に対する追加又は変更は、本発明の権利の範囲に含まれるものと解釈すべきである。
【符号の説明】
【００４６】
１ 熱の条件に基づくワイヤレスアクセスポイントのネットワークトラフィック制御システム
１０      温度監視モジュール
１２      トラフィック制御モジュール
１４      パラメータモジュール
１６      電圧監視モジュール
１２０     温度センサー
１６０     電圧センサー
２     ワイヤレスアクセスポイント
２０      広域ネットワークインターフェース
２２      ローカルエリアネットワークインターフェース
２４      ２．４ＧＨｚＷＩＦＩモジュール
２６      ５ＧＨｚＷＩＦＩモジュール
Ｓ１００―Ｓ１２６  ステップ
Ｓ２０―Ｓ２４   ステップ
【図１】
2019146140.tif 000003
【図２】
2019146140.tif 000004
【図３】
2019146140.tif 000005
【図４】
2019146140.tif 000006
【手続補正書】
【提出日】令和1年6月27日(2019.6.27)
【手続補正１】
【補正対象書類名】特許請求の範囲
【補正対象項目名】全文
【補正方法】変更
【補正の内容】
【特許請求の範囲】
【請求項１】
ワイヤレスアクセスポイントの温度データの受信及び監視を行い、且つ前記温度データに基づいて第ーネットワークトラフィック許容値を算出する温度監視モジュールと、
前記第ーネットワークトラフィック許容値を受信するトラフィック制御モジュールと、  前記温度監視モジュール及び前記トラフィック制御モジュールの計算に必要なパラメータが保存されるパラメータモジュールとを備え、
前記ワイヤレスアクセスポイントには少なくとも１つの温度センサーが内設され、前記温度監視モジュールは、所定期間ごとに、前記温度センサーにより測定された前記ワイヤレスアクセスポイントの前記温度データを読み取り、且つ前記第ーネットワークトラフィック許容値を算出すると共に前記トラフィック制御モジュールに通知し、
前記トラフィック制御モジュールにより前記第一ネットワークトラフィック許容値が受信された後、前記第一ネットワークトラフィック許容値に基づいて前記ワイヤレスアクセスポイントの第一最大ネットワークトラフィックが算出されると共に第一最大ネットワークトラフィック許容値が設定されることを特徴とする熱の条件に基づくワイヤレスアクセスポイントのネットワークトラフィック制御システム。
【請求項２】
前記ワイヤレスアクセスポイントの電圧データの受信及び監視を行い、且つ前記電圧データに基づいて第二ネットワークトラフィック許容値を算出する電圧監視モジュールを更に備え、前記ワイヤレスアクセスポイントには少なくとも１つの電圧センサーが内設され、前記電圧監視モジュールは、前記電圧センサーにより前記ワイヤレスアクセスポイントの前記電圧データの変化が検知された場合、前記第二ネットワークトラフィック許容値を算出すると共に前記トラフィック制御モジュールに通知し、前記パラメータモジュールには前記電圧監視モジュールの計算に必要なパラメータが保存され、前記トラフィック制御モジュールにより前記第二ネットワークトラフィック許容値が受信された後、前記第二ネットワークトラフィック許容値に基づいて前記ワイヤレスアクセスポイントの第二最大ネットワークトラフィックが算出されると共に第二最大ネットワークトラフィック許容値が設定されることを特徴とする請求項１に記載の熱の条件に基づくワイヤレスアクセスポイントのネットワークトラフィック制御システム。
【請求項３】
前記温度監視モジュールは少なくとも１つの仮想温度センサーを更に備え、前記仮想温度センサーは前記少なくとも１つの温度センサーに基づくものであり、前記温度監視モジュールは、所定期間ごとに、前記仮想温度センサーにより測定された前記ワイヤレスアクセスポイントの温度データを読み取り、且つ前記第ーネットワークトラフィック許容値を算出すると共に前記トラフィック制御モジュールに通知することを特徴とする請求項１に記載の熱の条件に基づくワイヤレスアクセスポイントのネットワークトラフィック制御システム。
【請求項４】
温度監視モジュールがパラメータモジュールからワイヤレスアクセスポイントのステータスパラメータを取得するステップと、
前記温度監視モジュールが所定期間ごとに前記ワイヤレスアクセスポイント内部の少なくとも１つの温度センサーにより測定された前記ワイヤレスアクセスポイントの少なくとも１つの温度データを読み取り、且つ前記温度データに基づいて第ーネットワークトラフィック許容値が算出されるステップと、
トラフィック制御モジュールが前記第ーネットワークトラフィック許容値を受信した後、前記ワイヤレスアクセスポイントの第一最大ネットワークトラフィックが算出されると共に第一最大ネットワークトラフィック許容値が設定されるステップとを含み、
前記パラメータモジュールには前記温度監視モジュール及び前記トラフィック制御モジュールの計算に必要なパラメータが保存されることを特徴とする熱の条件に基づくワイヤレスアクセスポイントのネットワークトラフィック制御方法。
【請求項５】
前記温度監視モジュールは少なくとも１つの仮想温度センサーを更に備え、前記仮想温度センサーは前記少なくとも１つの温度センサーに基づくものであり、前記温度監視モジュールは、所定期間ごとに、前記仮想温度センサーにより測定された前記ワイヤレスアクセスポイントの温度データを更に読み取り、且つ前記第ーネットワークトラフィック許容値が算出されると共に前記トラフィック制御モジュールに通知されることを特徴とする請求項４に記載の熱の条件に基づくワイヤレスアクセスポイントのネットワークトラフィック制御方法。
【請求項６】
前記温度監視モジュールにより前記温度データが受信された後、前記温度監視モジュールにより前記温度データ及び前記ワイヤレスアクセスポイントの前記ステータスパラメータの比較が行われ、且つ前記第一ネットワークトラフィック許容値が算出されることを特徴とする請求項４に記載の熱の条件に基づくワイヤレスアクセスポイントのネットワークトラフィック制御方法。
【請求項７】
前記温度データが前記ステータスパラメータより小さい場合、前記温度監視モジュールが前記ワイヤレスアクセスポイントを１つ前の状態に移行させるための前記第ーネットワークトラフィック許容値を算出し、前記温度データが前記ステータスパラメータより大きい場合、前記温度監視モジュールが前記ワイヤレスアクセスポイントを１つ後ろの状態に移行させるための前記第ーネットワークトラフィック許容値を算出することを特徴とする請求項６に記載の熱の条件に基づくワイヤレスアクセスポイントへのネットワークトラフィック制御方法。
【請求項８】
前記トラフィック制御モジュールにより前記ワイヤレスアクセスポイントの前記第一最大ネットワークトラフィックが算出されると共に前記第一最大ネットワークトラフィック許容値が設定された後、前記トラフィック制御モジュールが前記ワイヤレスアクセスポイントにおける全ての入る及び出るパケットを仮想ネットワークインターフェースに導入することにより、双方向の総トラフィックの制限が行われることを特徴とする請求項４に記載の熱の条件に基づくワイヤレスアクセスポイントのネットワークトラフィック制御方法。
【請求項９】
電圧監視モジュールが前記パラメータモジュールから前記ワイヤレスアクセスポイントの前記ステータスパラメータを取得するステップと、
前記電圧監視モジュールが前記ワイヤレスアクセスポイント内部の少なくとも１つの電圧センサーにより測定された前記ワイヤレスアクセスポイントの電圧データを読み取り、且つ前記電圧データにより第ニネットワークトラフィック許容値が算出されるステップと、前記トラフィック制御モジュールが前記第ニネットワークトラフィック許容値を受信した後、前記ワイヤレスアクセスポイントの第二最大ネットワークトラフィックが算出されると共に第二最大ネットワークトラフィック許容値が設定されるステップとを更に含み、前記パラメータモジュールには前記電圧監視モジュール及び前記トラフィック制御モジュールの計算に必要なパラメータが保存されることを特徴とする請求項４に記載の熱の条件に基づくワイヤレスアクセスポイントのネットワークトラフィック制御方法。
【請求項１０】
前記電圧データが設定される電圧条件より高い又は低い場合、前記電圧センサーは割り込み要求方式により前記電圧監視モジュールに通知することを特徴とする請求項９に記載の熱の条件に基づくワイヤレスアクセスポイントのネットワークトラフィック制御方法。